(57)【要約】      （修正有）【課題】分岐パイプを給液管にワンタッチで且つ確実に接続することが出来る分岐パイプの接続構造を提供する。【解決手段】給液装置における給液管５に、液体を土壌に供給するための分岐パイプ６を接続するものにおいて、給液管５には、接続孔５１を形成し、分岐パイプ６の長さ方向一端部には、可撓性材料から形成され、前記接続孔５１に挿入する挿入筒部７１を備えた接続筒７が設け、前記挿入筒部７１の外径を接続孔５１の内径よりも大きく形成すると共に、この挿入筒部７１の外周には、給液管５における接続孔５１の内周縁が嵌合可能な嵌合溝部を形成し、挿入筒部７１における前記嵌合溝部よりも挿入筒部７１の先端側外周面には、先細としたテーパー状のガイド面が設け、接続筒７の液体通路内にはオリフィス７１を設けると共に、接続筒７には前記液体通路Ｌ内に外部の空気を取り入れるための空気吸入孔７５が設ける。【選択図】図２
2006166753.tif 000002
【特許請求の範囲】
【請求項１】
給液装置１における液体を供給するための給液管５に、液体を土壌に供給するための分岐パイプ６を接続するようにした接続構造において、給液管５には、接続孔５１が形成される一方、分岐パイプ６の長さ方向一端部には、可撓性材料から形成され、前記接続孔５１に挿入する挿入筒部７１を備えた接続筒７が設けられ、前記挿入筒部７１の外径が接続孔５１の内径よりも大きく形成されると共に、この挿入筒部７１の外周には、給液管５における接続孔５１の内周縁が嵌合可能な嵌合溝部７２が形成され、挿入筒部７１における前記嵌合溝部７２よりも挿入筒部７１の先端側外周面には、挿入筒部７１の先端に向かうに従って先細としたテーパー状のガイド面７３が設けられていることを特徴とする給液装置における分岐パイプの接続構造。
【請求項２】
接続筒７の液体通路Ｌ内にオリフィス７４が設けられると共に、接続筒７には前記液体通路Ｌ内に外部の空気を取り入れるための空気吸入孔７５が設けられていることを特徴とする請求項１に記載の液体噴霧用ノズル。
【発明の詳細な説明】
【技術分野】
【０００１】
本発明は農業用温室や畑などの土壌に水や薬液を供給するための給液装置における給液管への分岐パイプの接続構造に関する。
【背景技術】
【０００２】
一般に水や薬液を供給するための給液装置は、給液本管に所要数の分岐管を接続すると共に、その分岐管にコック及び圧力調整弁を介して給液管を接続し、その給液管を農作物の畝ごとに沿わせると共に、その給液管に多数の分岐パイプを接続し、その分岐パイプの遊端側を農作物の周縁の土壌に挿入して、分岐パイプから水や薬液を土壌に供給するようにしている。
【０００３】
ところで以上の給液装置において、給液管に分岐パイプを接続するのに、例えば図６に示すように、ノズルＡが備えられた継ぎ手部材Ｂを別途用意し、この継ぎ手部材Ｂを給液管Ｃの外周に嵌めて、ノズルＡの先端部を給液管Ｃの接続孔Ｄに挿入した上で、ネジ部材Ｅの締め付けにより継ぎ手部材Ｂを抱締めることで、この継ぎ手部材Ｂを給液管Ｃに固定すると共に、この継ぎ手部材Ｂに設けられた接続筒部Ｆ内に分岐パイプＧの長さ方向一端部を密嵌させるようにしている。（特許文献１参照）
そして以上の給液装置では、給液タンク（図示せず）から送られて来る水や薬液が、給液管Ｃから継ぎ手部材ＢのノズルＡを経て分岐パイプＧに供給されて、地中に注入されるのである。
【０００４】
しかしながら、図６に示す給液装置では、分岐パイプＧを給液管Ｃに接続するに際して、給液管Ｃへの継ぎ手部材Ｂの装着作業に加えて、ネジ部材Ｅの締め付け操作を必要とし、全体として、分岐パイプＧの給液管Ｃへの接続作業に手間を要するし、また部品点数も多くて、ネジ部材を操作するための工具も必要となる。
【特許文献１】特開平８−３７９５７
【発明の開示】
【発明が解決しようとする課題】
【０００５】
本発明は以上の実情に鑑みて開発したものであって、目的とするところは、分岐パイプを給液管にワンタッチで且つ確実に接続することが出来、しかも給液管から分岐パイプに水や薬液を確実に供給することの出来る給液装置における分岐パイプの接続構造を提供することにある。
【課題を解決するための手段】
【０００６】
以上の目的を達成するため、請求項１に記載の発明は、給液装置１における液体を供給するための給液管５に、液体を土壌に供給するための分岐パイプ６を接続するようにした接続構造において、給液管５には、接続孔５１が形成される一方、分岐パイプ６の長さ方向一端部には、可撓性材料から形成され、前記接続孔５１に挿入する挿入筒部７１を備えた接続筒７が設けられ、前記挿入筒部７１の外径が接続孔５１の内径よりも大きく形成されると共に、この挿入筒部７１の外周には、給液管５における接続孔５１の内周縁が嵌合可能な嵌合溝部７２が形成され、挿入筒部７１における前記嵌合溝部７２よりも挿入筒部７１の先端側外周面には、挿入筒部７１の先端に向かうに従って先細としたテーパー状のガイド面７３が設けられていることを特徴とするものである。
【０００７】
また請求項２に記載の発明は、請求項１に記載の接続筒７の液体通路Ｌ内にオリフィス７４が設けられると共に、接続筒７には前記液体通路Ｌ内に外部の空気を取り入れるための空気吸入孔７５が設けられていることを特徴とするものである。
【発明の効果】
【０００８】
請求項１に記載の発明によれば、接続筒の先端を給液管の接続孔にあてがって、接続管を給液管内に向けて押し込むだけの簡単な作業で、分岐パイプを給液管に確実に接続することが出来るに至ったのである。
【０００９】
また請求項２に記載の発明によれば、請求項１に記載乃発明の効果に加え、接続筒に設けたオリフィスにより、給液管から分岐パイプを介して土壌に送られる液体を任意調整することが出来るのは勿論のこと、オリフィスを介して液体通路内に流れる液体の流れ作用により、外部の空気が空気吸入孔を介して液体通路内に引き込まれて、空気と液体とが混入し、これにより、土壌に液体と酸素を供給することが出来るし、分岐パイプの外部から液体の流れを容易に確認することが可能となる。
【発明を実施するための最良の形態】
【００１０】
図１は、農業用温室や畑などの土壌に水や薬液を供給するための給液装置の構成図であって、この給液装置１は、給液ポンプ２に接続された給液本管３と、この給液本管３に分岐継手３１を介して接続された複数本の分岐管４と、分岐管４にコック４１を介して接続された給液管５と、この給液管５に接続される分岐パイプ６とが備えられている。
【００１１】
そして以上の給液装置では、給液管５を農作物の畝に沿わせて配置すると共に、この給液管５に接続された分岐パイプ６の遊端側を農作物周りの土壌Ｔに挿入して、水や薬液を土壌Ｔに供給するようにしている。
【００１２】
尚、図中２０は、水や薬液を貯留するための給液タンク、４２はバイパス管を示す。
【００１３】
本発明は以上の構成からなる給液装置１における給液管５への分岐パイプ６の接続構造に関するものであって、次にこの接続構造を詳説する。
【００１４】
まず給液管５には、所定間隔で複数の接続孔５１が開設されており、これら接続孔５１は円形に開口している。
【００１５】
給液管５に接続される分岐パイプ６は、給液管側パイプ部材６ａと、土壌側パイプ部材６ｂとから構成されている。
【００１６】
土壌側パイプ部材６ｂは、給液管側パイプ部材６ａよりも一回り大きなパイプ材から構成されて、この土壌側パイプ部材６ｂ内に給液管側パイプ部材６ａを挿嵌することで、両パイプ部材６ａ・６ｂを連結するようにしている。
【００１７】
これら給液管側パイプ部材６ａ及び土壌側パイプ部材６ｂは、いずれも軟質のプラスチック材料から形成されて、弾性変形自由となっている。
【００１８】
また土壌側パイプ部材６ｂの長さ方向一端部には、土壌Ｔへの挿入規制体６１が組み付けられている。
【００１９】
一方、給液管側パイプ部材６ａの長さ方向一端部には、接続筒７が組みつけられ、この接続筒７を介して給液管側パイプ部材６ａの長さ方向一端部を給液管５の接続孔５１に接続するようにしている。
【００２０】
この接続筒７は、可撓性材料、具体的には弾性変形可能な軟質のプラスチック材料から形成されているのであって、その長さ方向一端側には、前記接続孔５１に挿入する挿入筒部７１が設けられている。
【００２１】
この挿入筒部７１は、その一般的外径が接続孔５１の内径よりも大きく形成されると共に、この挿入筒部７１の外周には、給液管５における接続孔５１の内周縁が嵌合可能な環状の嵌合溝部７２が形成され、また挿入筒部７１における嵌合溝部７２よりも挿入筒部７１の先端側外周面には、先端に向かうに従って先細としたテーパー状のガイド面７３が設けられている
このガイド面７３の先細側先端の最小径Ｌ１は、接続孔５１の内径よりも僅かに小さくて、先太側先端の最大径Ｌ２は、接続孔５１の内径よりも大きくしている。
【００２２】
また接続筒７における挿入筒部７１の開口部位には、オリフィス７４が設けられると共に、接続筒７の途中にはこの接続筒７の液体通路Ｌ内に外部の空気を取り入れるための空気吸入孔７５が設けられている
以上の給液装置において、分岐パイプ６を給液管５に接続するに際しては、接続筒７における挿入筒部７１の先端を給液管５１の接続孔５１にセットして、かかる状態から接続管７を給液管５内に向けて押し込めば、ガイド面７３が設けられている挿入筒部７１の先端側が縮径方向に弾性変形しながら接続孔５１を通過して、嵌合溝部７２に接続孔の内周が嵌合すると共に縮径方向に弾性変形した挿入筒部７１の先端側が元の状態に復元するのであって、これにより、接続筒７が組み付けられた給液管側パイプ部材６ａが給液管５に確実且つ密に接続されるのである。
【００２３】
そして以上のごとく接続された給液管側パイプ部材６ａの遊端側を土壌側パイプ部材６ｂ内に挿嵌して、両パイプ部材６ａ・６ｂを連結し、使用時には、図２に示すように、この土壌側パイプ部材６ｂを、土壌Ｔに予め形成した挿通穴Ｗ内に挿入するのである。
【００２４】
斯くして、給液ポンプ２の駆動により、タンク２０から給液本管３、分岐管４を介して給液管５に送られて来る水は、接続筒７のオリフィス７４を介して分岐パイプ６から土壌Ｔ内に供給されるのである。
【００２５】
ところで、以上の給液装置１では、オリフィス７４を介して接続筒７の液体通路Ｌ内に流れる液体の流れ作用により、外部の空気が空気吸入孔７５を介して液体通路Ｌ内に引き込まれて、液体に空気が液体通路Ｌ内混入されるのであり、これによって、土壌Ｔに液体だけでなく酸素をも供給することが出来るし、液体への空気の混入に伴い、分岐パイプ６の外部から液体の流れを容易に確認することが可能となるのである。
【００２６】
また接続筒７に設けたオリフィス７４により、給液管５から分岐パイプ６を介して土壌Ｔに送られる液体を任意調整することも出来るのである。
【００２７】
斯くして以上の給液装置１によれば、接続筒７における挿入筒部７１の先端を給液管５１の接続孔５１にセットして、接続管７を給液管５内に向けて押し込むだけの簡単な作業で、分岐パイプ６を給液管５に確実に接続することが出来るに至ったのである。
【００２８】
尚、以上の給液装置は給水だけではなく、液体肥料の供給にも用いることができる。
【００２９】
また以上の実施形態では、分岐パイプ６を給液管側パイプ部材６ａと土壌側パイプ部材６ｂとに分割したが、必ずしも分割する必要はない。
【００３０】
また以上の実施形態では、接続筒７を分岐パイプ６とは別に形成したが、これに限定されるものではなく、分岐パイプ６に接続筒７を一体形成してもよい。
【図面の簡単な説明】
【００３１】
【図１】本発明にかかる接続構造を採用する給液装置の説明図。
【図２】給液装置の使用時における要部の断面図。
【図３】給液装置の使用時における要部の拡大断面図。
【図４】接続筒の正面図。
【図５】接続筒の側面図。
【図６】給液装置における従来の分岐パイプの接続構造を示す断面図。
【符号の説明】
【００３２】
１      給液装置
３      給液本管
４      分岐管
５      給液管
５１    接続孔
６      分岐パイプ
６ａ    給液管側パイプ部材
６ｂ    土壌側パイプ部材
７      接続筒
７１    挿入筒部
７２    嵌合溝部
７３    ガイド面
７４    オリフィス
７５    空気吸入孔
Ｔ      土壌
【図１】
2006166753.tif 000003
【図２】
2006166753.tif 000004
【図３】
2006166753.tif 000005
【図４】
2006166753.tif 000006
【図５】
2006166753.tif 000007
【図６】
2006166753.tif 000008